(57)【要約】【課題】ハードディスクドライブの温度を一定に保つことができる録画再生装置の提供。【解決手段】録画再生装置は、ハードディスクドライブ１と、複数のペルチェ素子２と温度センサー３とで構成される温度調節手段４と、制御回路５とを備える。温度調節手段４の温度センサー３がハードディスクドライブ１の温度を正確に計測し、制御回路５が温度センサー３で計測したハードディスクドライブ１の温度に応じて温度調節手段４の複数のペルチェ素子２を冷却または加熱するように同時に制御し、ハードディスクドライブ１全体の温度を温度調節手段４により一定に保つことができる。【選択図】        図１
2004342194.tif 000002
【特許請求の範囲】
【請求項１】
ＡＶ信号をデジタル記録し、デジタル記録した前記ＡＶ信号を再生する録画再生装置において、
前記ＡＶ信号を記録媒体に記憶するＡＶ信号記憶手段と、前記ＡＶ信号記憶手段に面積分だけ配置され、前記ＡＶ信号記憶手段の温度を一定に保つための冷却・加熱切替え可能な複数の冷却・加熱手段と前記ＡＶ信号記憶手段の温度を計測する単一の温度計測手段とで構成される温度調節手段と、前記温度調節手段の前記複数の冷却・加熱手段を制御する制御手段とを備え、前記制御手段は、前記温度計測手段で計測した前記ＡＶ信号記憶手段の温度に応じて前記温度調節手段の前記複数の冷却・加熱手段を冷却または加熱するように同時に制御することを特徴とする録画再生装置。
【請求項２】
上記複数の冷却・加熱手段は、互いに並列に接続されたペルチェ素子であり、上記単一の温度計測手段は、温度センサーであり、前記ペルチェ素子及び前記温度センサーは、上記ＡＶ信号記憶手段に密着するように配置された熱伝導体内に組み込まれている請求項１に記載の録画再生装置。
【請求項３】
上記温度調節手段は、上記ＡＶ信号記憶手段の両面に配置されている請求項１または２に記載の録画再生装置。
【請求項４】
上記温度調節手段の温度計測手段は、上記ＡＶ信号記憶手段の上記記録媒体に相当する箇所に配置されている請求項１乃至３のいずれかに記載の録画再生装置。
【請求項５】
さらに、上記ＡＶ信号記憶手段，上記複数の冷却・加熱手段と上記単一の温度計測手段とで構成される上記温度調節手段及び上記制御手段を内部に配置された筐体と、前記筐体の内部に配置された上記ＡＶ信号を録画，再生するための録画再生手段と、前記温度調節手段に装着された前記冷却・加熱手段から発せられる熱を前記筐体の外部に向って導伝する熱導伝体とを備え、前記筐体は、空気取入口と空気排出口とを有し、前記録画再生手段から発せられる熱を前記空気取入口から前記空気排出口へと向う空気の対流により前記筐体の外部に放出する請求項１乃至４のいずれかに記載の録画再生装置。
【発明の詳細な説明】
【０００１】
【発明の属する技術分野】
本発明は、ハードディスクドライブを利用したＡＶ信号の録画再生装置に関し、特に、ハードディスクドライブの温度を一定に保つためのハードディスクドライブ温度制御機構を備えた録画再生装置に関する。
【０００２】
【従来の技術】
ビデオ，オーディオ信号などのＡＶ（Ａｕｄｉｏ  Ｖｉｓｕａｌ）信号をデジタル記録し、デジタル記録したＡＶ信号を再生するための録画再生装置において、従来は、ＡＶ信号をハードディスクに記憶するハードディスクドライブを冷却するために、ハードディスクドライブの周囲に空間を開け、冷却ファンを用いてハードディスクドライブの冷却を行う方法を採用していた。
【０００３】
また、ペルチェ素子と温度センサーを用いて、記録媒体の回転系の温度を一定に保つことが特許文献１に記載されているが、ハードディスクドライブのように、記録媒体の全面の温度を一定に保つための記載がない。
【０００４】
【特許文献１】
特開２００２−１３４９７４号公報
【０００５】
【発明が解決しようとする課題】
従来の技術においては、ハードディスクドライブの周囲に空間を設け、冷却ファンなどにより強制換気することにより、ハードディスクドライブの温度上昇を低減させていた。
【０００６】
この場合、ハードディスクドライブの周囲には、一定の空間が必要であるため、装置全体を小型化することはできない上、冷却ファンなどによる騒音の問題が発生していた。
【０００７】
また、特許文献１に記載されているペルチェ素子と温度センサーを用いて、記録媒体の回転系の温度を一定に保つだけでは、ハードディスクドライブのように、記録媒体の全面に渡って温度を一定にする必要があるデバイスにおいては、ハードディスクドライブの温度変化によって位置決めが正確に行われず、ＡＶ信号の記録，再生を正確に行うことができない。
【０００８】
さらに、特許文献１には、ペルチェ素子と温度センサーとの位置関係、ハードディスクドライブに対するペルチェ素子の取り付け方法などについても記載がなく、正確にハードディスクドライブの温度を制御するための方法が記載されていない。
【０００９】
本発明は、そのような状況に鑑みてなされたもので、複数の冷却・加熱手段と単一の温度計測手段とを一体化して構成される温度調節手段をＡＶ信号記憶手段に密着するように配置し、ＡＶ信号記憶手段の温度を温度計測手段により正確に計測することができ、制御手段が温度計測手段で計測したＡＶ信号記憶手段の温度に応じて温度調節手段の複数の冷却・加熱手段を冷却または加熱するように同時に制御し、温度調節手段の複数の冷却・加熱手段の持つ熱交換作用によって、ＡＶ信号記憶手段の全体の温度を温度調節手段により一定に保つことができ、従来のようにＡＶ信号記憶手段の周囲に一定の空間を必要とせず、装置全体の小型化を図れ、冷却ファンなどによる騒音の問題が発生することのない録画再生装置を提供することを目的とする。
【００１０】
【課題を解決するための手段】
本発明はこうした課題を解決するための手段を提供するもので、各請求項の発明は、以下の技術手段を構成する。
上記目的を達成するために、本発明の録画再生装置は、ＡＶ信号をデジタル記録し、デジタル記録した前記ＡＶ信号を再生する録画再生装置において、前記ＡＶ信号を記録媒体に記憶するＡＶ信号記憶手段と、前記ＡＶ信号記憶手段に面積分だけ配置され、前記ＡＶ信号記憶手段の温度を一定に保つための冷却・加熱切替え可能な複数の冷却・加熱手段と前記ＡＶ信号記憶手段の温度を計測する単一の温度計測手段とで構成される温度調節手段と、前記温度調節手段の前記複数の冷却・加熱手段を制御する制御手段とを備え、前記制御手段が、前記温度計測手段で計測した前記ＡＶ信号記憶手段の温度に応じて前記温度調節手段の前記複数の冷却・加熱手段を冷却または加熱するように同時に制御することを特徴とする構成を有するものである。
【００１１】
上記に記載の本発明の録画再生装置によれば、複数の冷却・加熱手段と単一の温度計測手段とを一体化して構成される温度調節手段をＡＶ信号記憶手段に密着するように面積分だけ配置したことにより、温度調節手段の温度計測手段がＡＶ信号記憶手段の正確な温度を計測し、制御手段が温度計測手段で計測したＡＶ信号記憶手段の温度に応じて温度調節手段の複数の冷却・加熱手段を冷却または加熱するように同時に制御するので、ＡＶ信号記憶手段の全体の温度を温度調節手段により一定に保つことができ、ＡＶ信号記憶手段の温度を正確に制御することが可能となる。
【００１２】
本発明の録画再生装置は、上記複数の冷却・加熱手段が、互いに並列に接続されたペルチェ素子であり、上記単一の温度計測手段が、温度センサーであり、前記ペルチェ素子及び前記温度センサーが、上記ＡＶ信号記憶手段に密着するように配置された熱伝導体内に組み込まれている。
【００１３】
上記に記載の本発明の録画再生装置によれば、温度調節手段を構成する複数のペルチェ素子及び単一の温度センサーが熱伝導体内に組み込まれているので、温度調節手段の複数のペルチェ素子及び単一の温度センサーのＡＶ信号記憶手段に対する取り付けを容易に行うことができる。
【００１４】
本発明の録画再生装置は、上記温度調節手段が、上記ＡＶ信号記憶手段の両面に配置されている。
【００１５】
上記に記載の本発明の録画再生装置によれば、ＡＶ信号記憶手段を両面から温度調節手段で挟んだ構造とするため、ＡＶ信号記憶手段の両面に配置した温度調節手段の温度計測手段がＡＶ信号記憶手段の正確な温度を計測し、制御手段が温度計測手段で計測したＡＶ信号記憶手段の温度と周囲温度に応じて両面の温度調節手段の複数の冷却・加熱手段を冷却または加熱するように個々に制御するので、ＡＶ信号記憶手段の全体の温度を両面の温度調節手段により一定に保つことができ、外気温度と筐体の内部温度との間に温度差が発生しても、温度差に影響されることなく、ＡＶ信号記憶手段の温度を正確に制御できる。
【００１６】
本発明の録画再生装置は、上記温度調節手段の温度計測手段が、上記ＡＶ信号記憶手段の上記記録媒体に相当する箇所に配置されている。
【００１７】
上記に記載の本発明の録画再生装置によれば、温度調節手段の温度計測手段をＡＶ信号記憶手段の記録媒体に相当する箇所に配置したので、ＡＶ信号記憶手段の記録媒体に相当する箇所の温度を温度調節手段の温度計測手段により正確に計測することができる。
【００１８】
本発明の録画再生装置は、さらに、上記ＡＶ信号記憶手段，上記複数の冷却・加熱手段と上記単一の温度計測手段とで構成される上記温度調節手段及び上記制御手段を内部に配置された筐体と、前記筐体の内部に配置された上記ＡＶ信号を録画，再生するための録画再生手段と、前記温度調節手段に装着された前記冷却・加熱手段から発せられる熱を前記筐体の外部に向って導伝する熱導伝体とを備え、前記筐体が、空気取入口と空気排出口とを有し、前記録画再生手段から発せられる熱を前記空気取入口から前記空気排出口へと向う空気の対流により前記筐体の外部に放出するようになっている。
【００１９】
上記に記載の本発明の録画再生装置によれば、温度調節手段の複数の冷却・加熱手段から発せられるＡＶ信号記憶手段の熱を熱導伝体に集中させることによって、筐体内部に温度勾配を発生させて空気の対流を起こさせるため、筐体内の録画再生手段により発生した熱を効果的に筐体外に排出することができる。
また、温度調節手段の複数の冷却・加熱手段から発せられるＡＶ信号記憶手段の熱を他の外部媒体に移し、移された外部媒体で熱を筐体外に放出できる。
【００２０】
【発明の実施の形態】
以下、本発明の実施形態について図面を参照しながら詳細に説明する。
図１は、本発明に係る第１の実施形態の録画再生装置の構成を示す斜視図である。
本発明の録画再生装置は、ＡＶ信号をデジタル記録し、デジタル記録したＡＶ信号を再生する装置である。
【００２１】
本発明の録画再生装置は、ＡＶ信号を記録媒体であるハードディスク（図示せず）に記憶するＡＶ信号記憶手段であるハードディスクドライブ（Ｈａｒｄ  Ｄｉｓｋ  Ｄｒｉｖｅ；ＨＤＤ）１と、ハードディスクドライブ１に密着するように面積分だけ配置され、ハードディスクドライブ１の温度を一定に保つための冷却・加熱切替え可能な複数の冷却・加熱手段であるペルチェ素子２とハードディスクドライブ１の温度を計測する単一の温度計測手段である温度センサー３とで構成される温度調節手段４と、温度調節手段４の複数のペルチェ素子２を制御する制御手段である制御回路５とを備え、制御回路５が、温度センサー３で計測したハードディスクドライブ１の温度に応じて温度調節手段４の複数のペルチェ素子２を冷却または加熱するように同時に制御する。
【００２２】
本発明の録画再生装置は、複数のペルチェ素子２が互いに並列に接続されており、複数のペルチェ素子２及び単一の温度センサー３が、ハードディスクドライブ１に密着するように配置された熱伝導体である２枚の熱伝導幕６，６内に組み込まれている。
【００２３】
本発明に係る第１の実施形態の録画再生装置は、ＡＶ信号をハードディスクに記憶するハードディスクドライブ１と、ハードディスクドライブ１の温度を一定に保つための複数のペルチェ素子２とハードディスクドライブ１の温度を正確に計測するための温度センサー３とを組み込まれた温度調節手段４と、温度調節手段４の温度センサー３にて計測されるハードディスクドライブ１の温度によって温度調節手段４の複数のペルチェ素子２を制御する制御回路５とから構成されている。
【００２４】
本発明による録画再生装置の実施形態の一例を図１〜図１０に基づいて以下に説明する。
録画再生装置は、図１に示すように、ハードディスクドライブ１と、ハードディスクドライブ１の温度を一定に保つために配置された温度調節手段４と、ハードディスクドライブ１の温度によって温度調節手段４を制御する制御回路５とから構成されている。
【００２５】
ハードディスクドライブ１と温度調節手段４とは、図１に示すように、互いに密着するように配置され、ハードディスクドライブ１の温度に応じて温度調節手段４の複数のペルチェ素子２を同時に制御するため、ペルチェ素子２が持つ熱交換作用によって、ハードディスクドライブ１の全面の温度が制御できる。
【００２６】
図２は、本発明に係る第１の実施形態の録画再生装置における温度調節手段の構造を詳細に示す説明図である。
温度調節手段４は、図２に示すように、複数のペルチェ素子２と、１つの温度センサー３と、２枚の熱伝導幕６，６とを備えている。
【００２７】
ハードディスクドライブ１の全面を正確に温度制御する必要があるため、温度調節手段４には、複数のペルチェ素子２が並列に面積分だけ配置されている。
【００２８】
また、温度調節手段４には、１つの温度センサー３が中央に配置されている。
【００２９】
ペルチェ素子２は、Ｐ型半導体２０，２０、Ｎ型半導体２１、及び各々の半導体間を接続する導体２２から構成されている。
各々のペルチェ素子２は、熱伝導幕６，６で熱的に結合されている。
【００３０】
ハードディスクドライブ１側の熱伝導膜６には、温度センサー３が取り付けられている。
【００３１】
ペルチェ素子２には、電源が加えられるが、ハードディスクドライブ１と反対側の導体２２に電気的に接続された電極Ａに＋電源、ハードディスクドライブ１側の導体２２に電気的に接続された電極Ｂに−電源を加えた場合、ペルチェ素子２のハードディスクドライブ１側では発熱が起こり、ペルチェ素子２のハードディスクドライブ１と反対側では吸熱が起こるため、ハードディスクドライブ１を加熱することができる。
【００３２】
これとは逆に、電極Ａに−電源、電極Ｂに＋電源を加えた場合、ペルチェ素子２のハードディスクドライブ１側では吸熱が起こり、ペルチェ素子２のハードディスクドライブ１と反対側では発熱が起こるため、ハードディスクドライブ１を冷却することができる。
【００３３】
また、温度センサー３は、熱伝導幕６を介してハードディスクドライブ１と密着するので、ハードディスクドライブ１の温度を正確に読み取ることができる。
【００３４】
複数のペルチェ素子２と単一の温度センサー３とを備えた温度調節手段４は、このような構成をとるため、図１で示す制御回路５は、温度センサー３からの正確なハードディスクドライブ１の温度を読み取ることができ、この温度情報に従って、複数のペルチェ素子２に加える電圧を制御し、ハードディスクドライブ１の温度を一定範囲内に抑えることができる。
【００３５】
図３は、本発明に係る第２の実施形態の録画再生装置の構成の一部を示す正面図である。
本発明の録画再生装置は、温度調節手段４ａ，４ｂが、ハードディスクドライブ１の両面に密着するように配置されている。
【００３６】
本発明に係る第２の実施形態の録画再生装置は、複数のペルチェ素子２ａと温度センサー３ａを組み込まれた温度調節手段４ａ及び複数のペルチェ素子２ｂと温度センサー３ｂを組み込まれた温度調節手段４ｂを、ハードディスクドライブ１の両面に貼り付けた構造とし、ハードディスクドライブ１の温度と周囲温度に応じて両面の温度調節手段４ａの複数のペルチェ素子２ａ及び温度調節手段４ｂの複数のペルチェ素子２ｂを個々に制御する制御回路５´から構成されている。
【００３７】
録画再生装置は、図３に示すように、ハードディスクドライブ１と、ハードディスクドライブ１の温度を一定に保つために配置された温度調節手段４ａ，４ｂと、ハードディスクドライブ１の温度によって温度調節手段４ａ，４ｂを制御するための図４に示す制御回路５´とから構成されている。
【００３８】
録画再生装置は、図３に示すように、ハードディスクドライブ１，温度調節手段４ａ，４ｂ及び制御回路５´を内部に配置された筐体７を備えている。
【００３９】
温度調節手段４ａは、図３に示すように、複数のペルチェ素子２ａと、１つの温度センサー３ａと、２枚の熱伝導体６ａ，６ａとを備えている。
【００４０】
温度調節手段４は、複数のペルチェ素子２ａが互いに並列に接続されており、複数のペルチェ素子２ａ及び１つの温度センサー３ａが、ハードディスクドライブ１に密着するように配置された２枚の熱伝導体６ａ，６ａ内に組み込まれている。
【００４１】
ハードディスクドライブ１の全面を正確に温度制御する必要があるため、温度調節手段４ａには、複数のペルチェ素子２ａが並列に面積分だけ配置されている。
【００４２】
また、温度調節手段４ａには、１つの温度センサー３ａが中央に配置されている。
【００４３】
温度調節手段４ａのハードディスクドライブ１側の熱伝導体６ａには、温度センサー３ａが取り付けられている。
【００４４】
温度調節手段４ｂは、図３に示すように、複数のペルチェ素子２ｂと、１つの温度センサー３ｂと、２枚の熱伝導体６ｂ，６ｂとを備えている。
【００４５】
温度調節手段４ｂは、複数のペルチェ素子２ｂが互いに並列に接続されており、複数のペルチェ素子２ｂ及び１つの温度センサー３ｂが、ハードディスクドライブ１に密着するように配置された２枚の熱伝導体６ｂ，６ｂ内に組み込まれている。
【００４６】
ハードディスクドライブ１の全面を正確に温度制御する必要があるため、温度調節手段４ｂには、複数のペルチェ素子２ｂが並列に面積分だけ配置されている。
【００４７】
また、温度調節手段４ｂには、１つの温度センサー３ｂが中央に配置されている。
【００４８】
温度調節手段４ｂのハードディスクドライブ１側の熱伝導体６ｂには、温度センサー３ｂが取り付けられている。
【００４９】
図３では、温度調節手段４ａ，４ｂを、ハードディスクドライブ１の両面に貼り付けた構造とし、図４に示す制御回路５´が、ハードディスクドライブ１の温度と周囲温度に応じて両面の温度調節手段４ａの複数のペルチェ素子２ａ及び温度調節手段４ｂの複数のペルチェ素子２ｂを個々に制御するようになっている。
【００５０】
ハードディスクドライブ１の一面となる上側が、温度調節手段４ａのハードディスクドライブ１と反対側の熱伝導体６ａを介して筐体７に接続されている。
【００５１】
ハードディスクドライブ１は、ハードディスクドライブ取付アングル８により筐体７に取り付けられており、ハードディスクドライブ１の他面となる下側が、温度調節手段４ｂのハードディスクドライブ１と反対側の熱伝導体６ｂを介してハードディスクドライブ取付アングル８に接続されている。
【００５２】
温度調節手段４ａの複数のペルチェ素子２ａからの熱は、ハードディスクドライブ１と反対側の熱伝導体６ａを通して筐体７へと伝わり、筐体７の外部に放熱され、温度調節手段４ｂの複数のペルチェ素子２ｂからの熱は、ハードディスクドライブ１と反対側の熱伝導体６ｂ及びハードディスクドライブ取付アングル８を通して筐体７へと伝わり、筐体７の外部に放熱されるため、温度調節手段４ａの複数のペルチェ素子２ａ及び温度調節手段４ｂの複数のペルチェ素子２ｂによる熱交換作用を滞ることなく実現できる。
【００５３】
ハードディスクドライブ１の両面に配置された温度調節手段４ａの複数のペルチェ素子２ａ及び温度調節手段４ｂの複数のペルチェ素子２ｂは、熱伝導体６ａ，６ａ内に配置された温度センサー３ａ及び熱伝導体６ｂ，６ｂ内に配置された温度センサー３ｂによる温度情報を用いて、制御回路５´によって効率的に制御される。
【００５４】
図４は、本発明に係る第２の実施形態の録画再生装置の構成を示す説明図である。
ハードディスクドライブ１の一面となる上側には、図４に示すように、温度調節手段４ａの複数のペルチェ素子２ａと温度センサー３ａがハードディスクドライブ１側の熱伝導体６ａを介して密着するように配置されている。
【００５５】
また、ハードディスクドライブ１の他面となる下側には、温度調節手段４ｂの複数のペルチェ素子２ｂと温度センサー３ｂがハードディスクドライブ１側の熱伝導体６ｂを介して密着するように配置されている。
【００５６】
図中、上側が、熱伝導体６ａを介して筐体７と接続され、下側が、熱伝導体６ｂを介してハードディスクドライブ取付アングル８に接続され、筐体７内部に配置される側である。
【００５７】
上下各々の温度調節手段４ａ，４ｂには、ペルチェ素子２ａ，２ｂを駆動するための電極と温度センサー３ａ，３ｂの温度検出出力があるが、上側（筐体７側）を電極Ａ１，電極Ｂ１，温度電圧出力Ｃ１とし、下側（セット内部側）を電極Ａ２，電極Ｂ２，温度電圧出力Ｃ２とする。
【００５８】
前記の図２で説明したように、図４に示す電極Ａ１，Ａ２に＋電源、電極Ｂ１，Ｂ２に−電源を供給した場合には、ペルチェ素子２ａ，２ｂのハードディスクドライブ１側では発熱が起こり、ペルチェ素子２ａ，２ｂのハードディスクドライブ１と反対側では吸熱が起こるため、ハードディスクドライブ１はペルチェ素子２ａ，２ｂにより加熱される。
【００５９】
これとは逆に、電極Ａ１，Ａ２に−電源、電極Ｂ１，Ｂ２に＋電源を供給した場合には、ペルチェ素子２ａ，２ｂのハードディスクドライブ１側では吸熱が起こり、ペルチェ素子２ａ，２ｂのハードディスクドライブ１と反対側では発熱が起こるため、ハードディスクドライブ１はペルチェ素子２ａ，２ｂにより冷却される。
【００６０】
また、温度調節手段４ａの温度センサー３ａは、熱伝導体６ａを介してハードディスクドライブ１の一面に密着し、温度調節手段４ｂの温度センサー３ｂは、熱伝導体６ｂを介してハードディスクドライブ１の他面に密着しているため、温度センサー３ａ，３ｂは、ハードディスクドライブ１の両面の温度を正確に測定し、温度センサー３ａが、上側（筐体７側）のハードディスクドライブ１の温度を温度電圧出力Ｃ１として制御回路５´に出力し、温度センサー３ｂが、下側（セット内部側）のハードディスクドライブ１の温度を温度電圧出力Ｃ２として制御回路５´に出力する。
【００６１】
制御回路５´は、上記２つの温度電圧出力Ｃ１，Ｃ２からハードディスクドライブ１の温度を測定し、電極Ａ１，Ａ２，Ｂ１，Ｂ２に加える電源の極性を切り替えてハードディスクドライブ１の温度を適当に制御する。
【００６２】
図５は、本発明に係る第２の実施形態の録画再生装置における制御手段の詳細を示す説明図である。
制御回路５´は、図５に示すように、温度調節手段４ａ，４ｂのペルチェ素子２ａ，２ｂを駆動するための＋電源Ｏ及び−電源Ｐ、電極Ａ１，Ｂ１へ加える電源の極性を切り替える電源切替回路Ｒ、電極Ａ２，Ｂ２へ加える電源の極性を切り替える電源切替回路Ｒ´、温度電圧出力Ｃ１，Ｃ２からハードディスクドライブ１の温度を検出し、電極Ａ１，Ｂ１，Ａ２，Ｂ２に加える電源の極性を制御する演算回路Ｑからなる。
【００６３】
電圧切替回路Ｒ，Ｒ´は、ハードディスクドライブ１の両面に配置される温度調節手段４ａ，４ｂのペルチェ素子２ａ，２ｂのために同一のものが２つ配置されている。
【００６４】
演算回路Ｑは、温度センサー３ａ，３ｂからの温度検出出力の電圧によって、ハードディスクドライブ１の温度が規定温度範囲より低いか高いかによって、ハードディスクドライブ１を加熱するか、ハードディスクドライブ１を冷却するかを決定する。
【００６５】
また、演算回路Ｑは、ハードディスクドライブ１の加熱が必要な場合、加熱出力Ｄ１，Ｄ２をＯＮにし、冷却出力Ｅ１，Ｅ２をＯＦＦにする。
【００６６】
この時、電源切替回路Ｒ，Ｒ´は、スイッチＳＷ１及びスイッチＳＷ４がＯＮ状態となり、スイッチＳＷ２及びスイッチＳＷ３がＯＦＦ状態となり、電極Ａ１，Ａ２には＋電源が供給され、電極Ｂ１，Ｂ２には−電源が供給されるため、ハードディスクドライブ１は、温度調節手段４ａ，４ｂのペルチェ素子２ａ，２ｂにより加熱される。
【００６７】
さらに、演算回路Ｑは、ハードディスクドライブ１の冷却が必要な場合、加熱出力Ｄ１，Ｄ２をＯＦＦにし、冷却出力Ｅ１，Ｅ２をＯＮにする。
【００６８】
この時、電源切替回路Ｒ，Ｒ´は、スイッチＳＷ１及びスイッチＳＷ４がＯＦＦ状態となり、スイッチＳＷ２及びスイッチＳＷ３がＯＮ状態となり、電極Ａ１，Ａ２には−電源が供給され、電極Ｂ１，Ｂ２には＋電源が供給されるため、ハードディスクドライブ１は、温度調節手段４ａ，４ｂのペルチェ素子２ａ，２ｂにより冷却される。
【００６９】
さらに、加熱出力Ｄ１，Ｄ２及び冷却出力Ｅ１，Ｅ２が共にＯＦＦの場合は、電極Ａ１，Ａ２及び電極Ｂ１，Ｂ２に電源が供給されないため、温度調節手段４ａ，４ｂのペルチェ素子２ａ，２ｂは動作しない。
【００７０】
上記の制御が、ハードディスクドライブ１の両面に配置された温度調節手段４ａの複数のペルチェ素子２ａ及び温度調節手段４ｂの複数のペルチェ素子２ｂの各々に対して行われる。
【００７１】
なお、本実施形態においては、電源の極性を切り替えて温度調節手段のペルチェ素子に電源を供給しているが、加えて電源電圧を制御し、熱量を可変してハードディスクドライブの温度制御を行うことも可能である。
【００７２】
次に、本発明に係る第２の実施形態の録画再生装置における制御手段による制御方法の詳細について、図６〜図９を用いて以下に説明する。
図６は、本発明の録画再生装置における温度調節手段の温度センサーの出力とペルチェ素子の制御を行うための温度の判定の基準を示す説明図である。
ハードディスクドライブ１は、一定の動作保障温度が決められている。（図６内の斜線の範囲。）
【００７３】
ハードディスクドライブ１の動作保障温度の範囲を下回っている場合は、ハードディスクドライブ１の温度の判別は超低温とする。
この超低温状態の場合では、ハードディスクドライブ１を使用することはできない。
【００７４】
ハードディスクドライブ１の動作保障温度の範囲には入っているが、低温の保障温度に余裕が無い範囲を低温とする。
【００７５】
これと同様に、ハードディスクドライブ１の動作保障温度の範囲には入っているが、高温の保障温度に余裕が無い範囲を高温とする。
【００７６】
また、ハードディスクドライブ１の動作保障温度の範囲を上回っている場合は、ハードディスクドライブ１の温度の判別は超高温とする。
この超高温状態の場合でも、ハードディスクドライブ１を使用することはできない。
【００７７】
それ以外の、十分な余裕を持ってハードディスクドライブ１の動作保障温度の範囲の低温と高温との間に収まっている場合を範囲内とする。
【００７８】
以下、ハードディスクドライブ１の温度の状況に応じた制御について述べる。
図７は、本発明に係る第２の実施形態の録画再生装置におけるハードディスクドライブの温度が低い場合の一例を示す説明図である。
温度調節手段４ａ，４ｂの温度センサー３ａ，３ｂの出力する温度電圧出力Ｃ１，Ｃ２は、低温または超低温となっている。
【００７９】
この場合は、電極Ａ１，Ａ２に＋電源を加え、電極Ｂ１，Ｂ２に−電源を加えるため、温度調節手段４ａ，４ｂのペルチェ素子２ａ，２ｂのハードディスクドライブ１側では発熱が起こり、温度調節手段４ａ，４ｂのペルチェ素子２ａ，２ｂのハードディスクドライブ１と反対側では吸熱が起こり、温度調節手段４ａ，４ｂのペルチェ素子２ａ，２ｂがハードディスクドライブ１を加熱する。
【００８０】
ハードディスクドライブ１の加熱によって、温度調節手段４ａ，４ｂの温度センサー３ａ，３ｂの出力する温度電圧出力Ｃ１，Ｃ２は上昇し、ハードディスクドライブ１の動作保障温度の低温と高温との間の範囲内に入ったら、電極Ａ１，Ａ２への＋電源の供給及び電極Ｂ１，Ｂ２への−電源の供給を止め、ハードディスクドライブ１を加熱し過ぎることを防止する。
【００８１】
これは、外気温が低い場合に相当するが、録画再生システムの電源が入っていない場合でも、ハードディスクドライブ１の温度を動作範囲内にしておくことができるので、低温でも電源を入れてすぐに起動することができる。
【００８２】
図８は、本発明に係る第２の実施形態の録画再生装置におけるハードディスクドライブの温度が動作範囲内にある場合の一例を示す説明図である。
温度調節手段４ａ，４ｂの温度センサー３ａ，３ｂの出力する温度電圧出力Ｃ１，Ｃ２は、ハードディスクドライブ１の動作保障温度の範囲内となっている。
【００８３】
この場合は、ハードディスクドライブ１の加熱，冷却の必要は無いので、電極Ａ１，Ａ２，Ｂ１，Ｂ２に供給する＋電源及び−電源をＯＦＦにし、温度調節手段４ａ，４ｂのペルチェ素子２ａ，２ｂは何も行わない。
【００８４】
図９は、本発明に係る第２の実施形態の録画再生装置におけるハードディスクドライブの温度が高い場合の一例を示す説明図である。
温度調節手段４ａ，４ｂの温度センサー３ａ，３ｂの出力する温度電圧出力Ｃ１，Ｃ２は、高温または超高温となっている。
【００８５】
この場合は、電極Ａ１，Ａ２に−電源を加え、電極Ｂ１，Ｂ２に＋電源を加えるため、温度調節手段４ａ，４ｂのペルチェ素子２ａ，２ｂのハードディスクドライブ１側では吸熱が起こり、温度調節手段４ａ，４ｂのペルチェ素子２ａ，２ｂのハードディスクドライブ１と反対側では発熱が起こり、温度調節手段４ａ，４ｂのペルチェ素子２ａ，２ｂがハードディスクドライブ１を冷却する。
【００８６】
ハードディスクドライブ１の冷却によって、温度調節手段４ａ，４ｂの温度センサー３ａ，３ｂの出力する温度電圧出力Ｃ１，Ｃ２は下降し、ハードディスクドライブ１の動作保障温度の低温と高温との間の範囲内に入ったら、電極Ａ１，Ａ２への−電源の供給及び電極Ｂ１，Ｂ２への＋電源の供給を止め、ハードディスクドライブ１を冷却し過ぎることを防止する。
【００８７】
これは、外気温が高い場合に相当するが、録画再生システムの電源が入っており、筐体内部の記録再生回路の熱や、ハードディスクドライブ１の自己発熱でも温度は上昇する。
これらの熱の発生を吸収し、ハードディスクドライブ１の温度を動作範囲内にしておくことができる。
【００８８】
上記第２の実施形態は、温度調節手段４ａ，４ｂの温度センサー３ａ，３ｂの出力する温度電圧出力Ｃ１，Ｃ２によって、電極Ａ１，Ａ２及び電極Ｂ１，Ｂ２に＋電源または−電源を供給する制御を切り替えることで、ハードディスクドライブ１の温度を一定に保つことが可能である。
【００８９】
また、上記第２の実施形態では、ハードディスクドライブ１の両面で、温度条件が一定として考えているが、各々の温度条件が異なる場合でも、制御回路を２つ持っているので、温度調節手段４ａのペルチェ素子２ａ及び温度調節手段４ｂのペルチェ素子２ｂを各々別々に制御することにより、ハードディスクドライブ１全体の温度を一定に保つことができる。
【００９０】
図１０は、本発明に係る第３の実施形態の録画再生装置の構成を示す正面図である。
本発明の録画再生装置は、さらに、ハードディスクドライブ１，温度調節手段４ａ，４ｂ及び制御回路５´（図示せず）を内部に配置された筐体７０と、筐体７０の内部に配置されたＡＶ信号を録画，再生するための録画再生手段として電子回路である記録再生回路９と、温度調節手段４ａ，４ｂに装着されたペルチェ素子２ａ，２ｂから発せられる熱を筐体の外部に向って導伝するための熱導伝体である放熱板１０ａ，１０ｂとを備え、筐体７０が、空気取入口７１と空気排出口７２とを有し、記録再生回路９から発せられる熱を空気取入口７１から空気排出口７２へと向う空気の対流により筐体７０の外部に放出するようになっている。
【００９１】
本発明に係る第３の実施形態の録画再生装置は、温度調節手段４ａ，４ｂのペルチェ素子２ａ，２ｂから発せられる熱を金属などの放熱板１０ａ，１０ｂにより集中させてから、筐体７０外部に放出する構成をとり、空気の対流を起こさせることによって、筐体７０内の録画，再生のための電子回路である記録再生回路９から発生する熱も同時に筐体７０外部に放出する構成にした。
【００９２】
図１０では、ハードディスクドライブ１を温度調節手段４ａ，４ｂで挟んだ構造の上に、温度調節手段４ａ，４ｂのペルチェ素子２ａ，２ｂから発せられる熱を、ハードディスクドライブ１と反対側の金属などの熱伝導体６ａ，６ｂにより集中させてから、放熱板１０ａ，１０ｂを通して筐体７０の外部に放出する構成となっている。
【００９３】
録画再生装置においては、ＡＶ信号の録画，再生のための電子回路である記録再生回路９が内蔵されているが、記録再生回路９の大半が高密度に集積されたＩＣ（Ｉｎｔｅｇｒａｔｅｄ  Ｃｉｒｃｕｉｔ；集積回路）で構成されているため、記録再生回路９は、かなりの熱を発生する。
この熱は、通常、冷却ファンなどを用いて筐体７０の外部に強制的に排出する構造をとるが、本発明においては、ハードディスクドライブ１の熱を、上下に密着するように取り付けられた温度調節手段４ａ，４ｂのペルチェ素子２ａ，２ｂが吸熱し、上下の放熱板１０ａ，１０ｂに移る。
【００９４】
放熱板１０ａ，１０ｂの熱は、筐体７０に開けられた空気排出口７２から排出されるが、上下の放熱板１０ａ，１０ｂは、端部を一箇所で接合する構造とし、且つ、放熱板１０ａ，１０ｂの接合部分に複数の放熱孔１１を設けている。
【００９５】
放熱板１０ａ，１０ｂの接合部分の熱は、筐体７０に開けられた空気排出口７２から筐体７０の外部に排出される。
この時、放熱板１０ａ，１０ｂの接合部分には複数の放熱孔１１が開けられているので、筐体７０の内部の熱を、放熱板１０ａ，１０ｂの接合部分に開けられた複数の放熱孔１１を通して、筐体７０に開けられた空気排出口７２から筐体７０の外部に逃がすことができる。
【００９６】
筐体７０の内部には、記録再生回路９の発熱部品９０があるが、放熱板１０ａ，１０ｂの複数の放熱孔１１を開けた接合部分と反対側で、記録再生回路９の発熱部品９０に臨んだ部分の筐体７０に、空気を取り入れるための空気取入口７１を開けた構造とする。
このような構造をとることにより、筐体７０の外部の空気と内部の空気の循環を適切に制御できるため、ハードディスクドライブ１の放熱と電子回路の放熱を効率的に行うことができる。
【００９７】
また、ここでは、空気の自然対流による放熱のみを記載したが、放熱板１０ａ，１０ｂの放熱孔１１の部分に小型のファンをつけることにより、より効果的な換気を行うことも可能である。
この場合も、従来のように筐体７０内の全体の空冷を考える必要はなく、放熱板１０ａ，１０ｂの周囲の空気を筐体７０の外部に送るだけであるので、ファンを小型化することが可能である。
【００９８】
上記にて説明された本発明により、以下の効果がもたらされる。
本発明の第１の実施形態の録画再生装置においては、上述したように、複数のペルチェ素子２と単一の温度センサー３とを一体化して構成される温度調節手段４をハードディスクドライブ１に密着するように面積分だけ配置したことにより、温度調節手段４の温度センサー３がハードディスクドライブ１の正確な温度を計測し、制御回路５が温度センサー３で計測したハードディスクドライブ１の温度に応じて温度調節手段４の複数のペルチェ素子２を冷却または加熱するように同時に制御するので、ハードディスクドライブ１の全体の温度を温度調節手段４により一定に保つことができ、ハードディスクドライブ１の温度を正確に制御することが可能となる。
【００９９】
本発明の第２の実施形態の録画再生装置においては、ハードディスクドライブ１を両面から温度調節手段４ａ，４ｂで挟んだ構造とするため、温度調節手段４ａ，４ｂの温度センサー３ａ，３ｂがハードディスクドライブ１の正確な温度を計測し、制御回路５´が温度センサー３ａ，３ｂで計測したハードディスクドライブ１の温度と周囲温度に応じて両面の温度調節手段４ａの複数のペルチェ素子２ａ及び温度調節手段４ｂの複数のペルチェ素子２ｂを冷却または加熱するように個々に制御するので、ハードディスクドライブ１の全体の温度を温度調節手段４により一定に保つことができ、外気温度と筐体７の内部温度との間に温度差が発生しても、温度差に影響されることなく、ハードディスクドライブ１の温度を正確に制御できる。
【０１００】
本発明の第３の実施形態の録画再生装置においては、温度調節手段４ａ，４ｂのペルチェ素子２ａ，２ｂから発せられるハードディスクドライブ１の熱を放熱板１０ａ，１０ｂに集中させることによって、筐体７０内部に温度勾配を発生させて空気の対流を起こさせるため、筐体７０内の電子回路である記録再生回路９により発生した熱を効果的に筐体７０外に排出することができる。
【０１０１】
また、温度調節手段４ａ，４ｂのペルチェ素子２ａ，２ｂから発せられるハードディスクドライブ１の熱を他の外部媒体（筐体７０、放熱板１０ａ，１０ｂなど）に移し、移された外部媒体で熱を筐体７０外に放出することにより、筐体７０全体を冷やすための大型の冷却ファンなどを内蔵しなくても良いため、冷却ファンによる騒音の低減化が図れ、冷却ファンのための通風孔などを設けずにすむので、装置のシールド効果をあげることができる。
【０１０２】
さらに、ハードディスクドライブ１の周辺に空間を開ける必要がなく、冷却ファンも装着しなくて済むため、装置全体の小型化が図れる。
【０１０３】
また、ハードディスクドライブ１を温度調節手段４ａ，４ｂで挟んだ構造となるため、ハードディスクドライブ１の振動や騒音を抑えることができる。
【０１０４】
【発明の効果】
本発明によれば、複数の冷却・加熱手段と単一の温度計測手段とを一体化して構成される温度調節手段をＡＶ信号記憶手段に密着するように配置したので、ＡＶ信号記憶手段の温度を温度計測手段により正確に計測することができ、制御手段が温度計測手段で計測したＡＶ信号記憶手段の温度に応じて温度調節手段の複数の冷却・加熱手段を冷却または加熱するように同時に制御するので、温度調節手段の複数の冷却・加熱手段の持つ熱交換作用によって、ＡＶ信号記憶手段の全体の温度を温度調節手段により一定に保つことができ、従来のようにＡＶ信号記憶手段の周囲に一定の空間を必要とせず、装置全体の小型化を図れ、冷却ファンなどによる騒音の問題が発生することもない録画再生装置を得ることができる。
【図面の簡単な説明】
【図１】本発明に係る第１の実施形態の録画再生装置の構成を示す斜視図。
【図２】本発明に係る第１の実施形態の録画再生装置における温度調節手段の構造を詳細に示す説明図。
【図３】本発明に係る第２の実施形態の録画再生装置の構成の一部を示す正面図。
【図４】本発明に係る第２の実施形態の録画再生装置の構成を示す説明図。
【図５】本発明に係る第２の実施形態の録画再生装置における制御手段の詳細を示す説明図。
【図６】本発明の録画再生装置における温度調節手段の温度センサーの出力とペルチェ素子の制御を行うための温度の判定の基準を示す説明図。
【図７】本発明に係る第２の実施形態の録画再生装置におけるハードディスクドライブの温度が低い場合の一例を示す説明図。
【図８】本発明に係る第２の実施形態の録画再生装置におけるハードディスクドライブの温度が動作範囲内にある場合の一例を示す説明図。
【図９】本発明に係る第２の実施形態の録画再生装置におけるハードディスクドライブの温度が高い場合の一例を示す説明図。
【図１０】本発明に係る第３の実施形態の録画再生装置の構成を示す正面図。
【符号の説明】
１  ハードディスクドライブ（ＡＶ信号記憶手段）
２，２ａ，２ｂ  ペルチェ素子（冷却・加熱手段）
３，３ａ，３ｂ  温度センサー（温度計測手段）
４，４ａ，４ｂ  温度調節手段
５，５´  制御回路（制御手段）
６  熱伝導幕（熱伝導体）
６ａ，６ｂ  熱伝導体
７  筐体
８  ハードディスクドライブ取付アングル
９  記録再生回路（録画再生手段）
１０ａ，１０ｂ  放熱板（熱導伝体）
１１  放熱孔
２０  Ｐ型半導体
２１  Ｎ型半導体
２２  導体
７０  筐体
７１  空気取入口
７２  空気排出口
９０  発熱部品
Ａ，Ａ１，Ａ２，Ｂ，Ｂ１，Ｂ２  電極
Ｃ１，Ｃ２  温度電圧出力
Ｄ１，Ｄ２  加熱出力
Ｅ１，Ｅ２  冷却出力
Ｏ  ＋電源
Ｐ  −電源
Ｑ  演算回路
Ｒ，Ｒ´  電源切替回路
ＳＷ１，ＳＷ２，ＳＷ３，ＳＷ４  スイッチ
【図１】
2004342194.tif 000003
【図２】
2004342194.tif 000004
【図３】
2004342194.tif 000005
【図４】
2004342194.tif 000006
【図５】
2004342194.tif 000007
【図６】
2004342194.tif 000008
【図７】
2004342194.tif 000009
【図８】
2004342194.tif 000010
【図９】
2004342194.tif 000011
【図１０】
2004342194.tif 000012